(57)【要約】【課題】テレビジョン受像機において、テレビジョン信号の受信可能なチャンネルであるか否かの判別における誤判別を防ぐ。【解決手段】テレビジョン受像機は、まず、ＲＦ−ＡＧＣ回路（映像信号の信号レベルが所定のレベルとなるようにチューナのゲインを自動的に制御する回路）のＡＧＣ応答性を測定するＡＧＣ応答性チェック処理を行い（＃１１）、ＡＧＣ応答性チェック処理により測定したＲＦ−ＡＧＣ回路のＡＧＣ応答性に基いて、待機時間を設定する待機時間設定処理を行う（＃１２）。続いて、チューナに受信周波数を設定して、放送チャンネルを選局した後（＃１４）、上記＃１２の待機時間設定処理で設定した待機時間が経過するまで待機するウェイト処理を行い（＃１５）、そして、ウェイト処理により待機している間に得られる映像信号に基いて、選局中の放送チャンネルがテレビジョン信号の受信可能なチャンネルであるか否かを判別する（＃１６）。【選択図】図３
2010258976.tif 000002
【特許請求の範囲】
【請求項１】
設定された受信周波数と同じ周波数の高周波信号を受信し、受信した高周波信号を増幅すると共に増幅した高周波信号の周波数を中間周波数に変換して、中間周波信号を出力するチューナと、
前記チューナから出力される中間周波信号を、テレビジョン信号に基く映像の映像信号を得るために復調処理し、その復調処理した映像信号を出力する映像信号復調手段と、
前記映像信号復調手段から出力される映像信号の信号レベルが所定のレベルとなるように、前記チューナにおける前記受信した高周波信号を増幅する増幅ゲインを自動的に制御するＲＦ−ＡＧＣ回路とを備え、
前記ＲＦ−ＡＧＣ回路は、前記映像信号復調手段から出力される映像信号の信号レベルの大きさに応じて、前記チューナにおける前記増幅ゲインを調整するためのＲＦ−ＡＧＣ電圧を出力し、
前記チューナは、前記ＲＦ−ＡＧＣ回路から出力される前記ＲＦ−ＡＧＣ電圧の大きさに応じて、前記チューナにおける前記増幅ゲインを調整する、
テレビジョン受像機において、
前記チューナの受信周波数を、受信しようとするテレビジョン信号の放送チャンネルに対応する周波数に設定することにより、テレビジョン信号の放送チャンネルを選局する選局手段と、
前記選局手段により選局された選局中の放送チャンネルがテレビジョン信号の受信可能なチャンネルであるか否かを判別するチャンネル受信可否判別手段と、
前記ＲＦ−ＡＧＣ回路の応答性を測定するＡＧＣ応答性測定手段と、
前記ＡＧＣ応答性測定手段により測定した前記ＲＦ−ＡＧＣ回路の応答性に基いて、前記チャンネル受信可否判別手段がテレビジョン信号の受信可能なチャンネルであるか否かを判別するときの待機時間を設定する待機時間設定手段とを備え、
前記チャンネル受信可否判別手段は、
前記選局手段によりテレビジョン信号の放送チャンネルを選局し、
その後、前記待機時間設定手段により設定された前記待機時間が経過するまで待機し、
前記待機時間が経過するまで待機している間に前記映像信号復調手段から出力される映像信号に基いて、前記選局手段により選局した放送チャンネルがテレビジョン信号の受信可能なチャンネルであるか否かを判別する、
ことを特徴とするテレビジョン受像機。
【請求項２】
前記ＡＧＣ応答性測定手段は、
前記チューナの受信周波数を、テレビジョン信号の放送チャンネルに対応しない周波数に設定し、
前記ＲＦ−ＡＧＣ回路から出力される前記ＲＦ−ＡＧＣ電圧を、前記チューナにおける前記増幅ゲインを最小にするときの電圧に設定し、
その後、前記ＲＦ−ＡＧＣ回路から出力される前記ＲＦ−ＡＧＣ電圧が予め定めた規定の電圧に変化するまでの時間を、前記ＲＦ−ＡＧＣ回路の応答性として測定する、
ことを特徴とする請求項１に記載のテレビジョン受像機。
【請求項３】
テレビジョン信号の受信可能な放送チャンネルを自動的に検出するチャンネルサーチ手段を備え、
前記チャンネルサーチ手段は、
前記ＡＧＣ応答性測定手段により前記ＲＦ−ＡＧＣ回路のＡＧＣ応答性を測定し、
前記ＡＧＣ応答性測定手段により測定した前記ＲＦ−ＡＧＣ回路の応答性に基いて、前記待機時間設定手段により前記待機時間を設定し、
前記待機時間設定手段により設定された前記待機時間を用いて、複数の異なる放送チャンネルのそれぞれについて、前記チャンネル受信可否判別手段によりテレビジョン信号の受信可能なチャンネルであるか否かを判別する、
ことを特徴とする請求項２に記載のテレビジョン受像機。
【発明の詳細な説明】
【技術分野】
【０００１】
本発明は、テレビジョン放送局から放送されるテレビジョン信号を受信して、テレビジョン信号に基く映像を表示するテレビジョン受像機に関するものである。
【背景技術】
【０００２】
従来から、テレビジョン受像機は、ＲＦ−ＡＧＣ回路によって、映像信号の信号レベルが所定のレベルとなるようにチューナにおける増幅ゲインを自動的に制御するようにしている。また、従来のテレビジョン受像機では、テレビジョン信号の受信可能な放送チャンネルを自動的に検出するチャンネルサーチ処理を行うようになっている。
【０００３】
チャンネルサーチ処理では、複数の異なる放送チャンネルのそれぞれについて、チャンネル受信可否判別処理によりテレビジョン信号の受信可能なチャンネルであるか否かを判別することによって、テレビジョン信号の受信可能な放送チャンネルを自動的に検出するようになっている。チャンネル受信可否判別処理では、テレビジョン信号の放送チャンネルを選局し、その後、所定の待機時間が経過するまで待機し、所定の待機時間が経過するまで待機している間に得られる映像信号に基いて、選局中の放送チャンネルがテレビジョン信号の受信可能なチャンネルであるか否かを判別するようになっている。
【０００４】
ところで、テレビジョン信号の受信可能なチャンネルであるか否かを判別するときの待機時間が、ＲＦ−ＡＧＣ回路の応答性（応答速度）に合った適切な待機時間でないと、テレビジョン信号の受信可能なチャンネルであるか否かの判別において、誤判別をしてしまう可能性がある。つまり、待機時間が短すぎると、受信可能なチャンネルであるにも関わらず、待機時間中にチューナの増幅ゲインが十分に高くならず、十分な信号レベルの映像信号が得られないことによって、受信可能なチャンネルでないと誤判別してしまう可能性があり、逆に、待機時間が長すぎると、受信可能なチャンネルでないにも関わらず、待機時間中にチューナの増幅ゲインが高くなり過ぎて、隣接チャンネルやノイズ等によって、受信可能なチャンネルであると誤判別してしまう可能性がある。
【０００５】
そこで、従来のテレビジョン受像機では、テレビジョン受像機の製造段階において、ＲＦ−ＡＧＣ回路の応答性を測定し、その応答性に合った適切な待機時間を試験的に求めて、その試験的に求めた待機時間を予めテレビジョン受像機に設定している。そして、テレビジョン受像機の出荷後、チャンネルサーチ処理を行ってチャンネル受信可否判別処理を行うとき、予め設定された（製造段階において試験的に求めた、ＲＦ−ＡＧＣ回路の応答性に合った適切な待機時間）を用いて、テレビジョン信号の受信可能なチャンネルであるか否かを判別するようにしている。
【０００６】
一方、初期電源投入時に、ビットエラーレートを監視して、ビットエラーレートが所定範囲に入ったときのＡＧＣ電圧をＡＧＣ判定値として記憶し、以後、ＡＧＣ電圧とＡＧＣ判定値とを比較して、テレビジョン信号の受信状態の判断を行うようにしたチューナ装置が知られている（例えば特許文献１参照）。また、予めチャンネルサーチを行って、受信対象チャンネル毎のＡＧＣ利得制御電圧をメモリに記憶し、その後、受信すべき所望チャンネルのＡＧＣ利得制御電圧をメモリから読み出してチューナに供給して、チューナの利得を制御するようにしたチューナ装置が知られている（例えば特許文献２参照）。
【先行技術文献】
【特許文献】
【０００７】
【特許文献１】特開２００３−１０１４２８号公報
【特許文献２】特開２００１−６９４２４号公報
【発明の概要】
【発明が解決しようとする課題】
【０００８】
ところで、欧州においては、テレビジョン放送の放送システムとして、ＰＡＬ方式、ＳＥＣＡＭ方式等の複数の放送システムが採用されており、これら複数の放送システムのテレビジョン信号を受信することができるようにしたテレビジョン受像機がある。一方、ＲＦ−ＡＧＣ回路の応答性がある特別な応答性のときに、テレビジョン信号に基く映像の輝度レベルが周期的に変動しているようにユーザの目に見える、いわゆるパカつき現象が発生する。このパカつき現象が発生するときのＲＦ−ＡＧＣ回路の応答性は、テレビジョン放送の放送システムと関連性があり、テレビジョン放送の放送システムによって異なる。従って、パカつき現象の発生を抑えるには、ＲＦ−ＡＧＣ回路の応答性をテレビジョン放送の放送システム毎に変化させるようにすることが考えられる。
【０００９】
しかしながら、ＲＦ−ＡＧＣ回路の応答性を変化させると、予め設定された（製造段階において試験的に求めた）テレビジョン信号の受信可能なチャンネルであるか否かを判別するときの待機時間が、ＲＦ−ＡＧＣ回路の応答性に合った適切な待機時間でなくなってしまい、テレビジョン信号の受信可能なチャンネルであるか否かの判別において、誤判別をしてしまう可能性がある。
【００１０】
また、ＲＦ−ＡＧＣ回路の応答性が経年変化等によって変化しても、予め設定されたテレビジョン信号の受信可能なチャンネルであるか否かを判別するときの待機時間が、ＲＦ−ＡＧＣ回路の応答性に合った適切な待機時間でなくなってしまい、テレビジョン信号の受信可能なチャンネルであるか否かの判別において、誤判別をしてしまう可能性がある。なお、上述した特許文献１及び特許文献２に開示の内容を適用したとしても、上記の問題を解決することはできない。
【００１１】
本発明は、上記課題を解決するためになされたものであり、テレビジョン信号の受信可能なチャンネルであるか否かの判別における誤判別を防ぐことができるテレビジョン受像機を提供することを目的とする。
【課題を解決するための手段】
【００１２】
上記目的を達成するために請求項１の発明は、設定された受信周波数と同じ周波数の高周波信号を受信し、受信した高周波信号を増幅すると共に増幅した高周波信号の周波数を中間周波数に変換して、中間周波信号を出力するチューナと、チューナから出力される中間周波信号を、テレビジョン信号に基く映像の映像信号を得るために復調処理し、その復調処理した映像信号を出力する映像信号復調手段と、映像信号復調手段から出力される映像信号の信号レベルが所定のレベルとなるように、チューナにおける受信した高周波信号を増幅する増幅ゲインを自動的に制御するＲＦ−ＡＧＣ回路とを備え、ＲＦ−ＡＧＣ回路は、映像信号復調手段から出力される映像信号の信号レベルの大きさに応じて、チューナにおける増幅ゲインを調整するためのＲＦ−ＡＧＣ電圧を出力し、チューナは、ＲＦ−ＡＧＣ回路から出力されるＲＦ−ＡＧＣ電圧の大きさに応じて、チューナにおける増幅ゲインを調整する、テレビジョン受像機において、チューナの受信周波数を、受信しようとするテレビジョン信号の放送チャンネルに対応する周波数に設定することにより、テレビジョン信号の放送チャンネルを選局する選局手段と、選局手段により選局された選局中の放送チャンネルがテレビジョン信号の受信可能なチャンネルであるか否かを判別するチャンネル受信可否判別手段と、ＲＦ−ＡＧＣ回路の応答性を測定するＡＧＣ応答性測定手段と、ＡＧＣ応答性測定手段により測定したＲＦ−ＡＧＣ回路の応答性に基いて、チャンネル受信可否判別手段がテレビジョン信号の受信可能なチャンネルであるか否かを判別するときの待機時間を設定する待機時間設定手段とを備え、チャンネル受信可否判別手段は、選局手段によりテレビジョン信号の放送チャンネルを選局し、その後、待機時間設定手段により設定された待機時間が経過するまで待機し、待機時間が経過するまで待機している間に映像信号復調手段から出力される映像信号に基いて、選局手段により選局した放送チャンネルがテレビジョン信号の受信可能なチャンネルであるか否かを判別するものである。
【００１３】
請求項２の発明は、請求項１に記載のテレビジョン受像機において、ＡＧＣ応答性測定手段は、チューナの受信周波数を、テレビジョン信号の放送チャンネルに対応しない周波数に設定し、ＲＦ−ＡＧＣ回路から出力されるＲＦ−ＡＧＣ電圧を、チューナにおける増幅ゲインを最小にするときの電圧に設定し、その後、ＲＦ−ＡＧＣ回路から出力されるＲＦ−ＡＧＣ電圧が予め定めた規定の電圧に変化するまでの時間を、ＲＦ−ＡＧＣ回路の応答性として測定するものである。
【００１４】
請求項３の発明は、請求項２に記載のテレビジョン受像機において、テレビジョン信号の受信可能な放送チャンネルを自動的に検出するチャンネルサーチ手段を備え、チャンネルサーチ手段は、ＡＧＣ応答性測定手段によりＲＦ−ＡＧＣ回路のＡＧＣ応答性を測定し、ＡＧＣ応答性測定手段により測定したＲＦ−ＡＧＣ回路の応答性に基いて、待機時間設定手段により待機時間を設定し、待機時間設定手段により設定された待機時間を用いて、複数の異なる放送チャンネルのそれぞれについて、チャンネル受信可否判別手段によりテレビジョン信号の受信可能なチャンネルであるか否かを判別するものである。
【発明の効果】
【００１５】
請求項１乃至請求項３の発明によれば、テレビジョン信号の受信可能なチャンネルであるか否かを判別するときの待機時間を、ＲＦ−ＡＧＣ回路の応答性に応じて適切に設定することができるので、テレビジョン信号の受信可能なチャンネルであるか否かの判別における誤判別を防ぐことができる。
【図面の簡単な説明】
【００１６】
【図１】本発明の一実施形態に係るテレビジョン受像機の概略構成を示す電気的ブロック構成図。
【図２】同テレビジョン受像機のＡＧＣ応答性チェック処理を示すフローチャート。
【図３】同テレビジョン受像機のチャンネルオートプリセット処理を示すフローチャート。
【発明を実施するための形態】
【００１７】
以下、本発明を具体化した実施形態によるテレビジョン受像機について図面を参照して説明する。図１は、本実施形態によるテレビジョン受像機の構成を示す。テレビジョン受像機１は、テレビジョン放送局から電波の形態で放送されるテレビジョン信号を受信して、テレビジョン信号に基く映像を表示すると共に、テレビジョン信号に基く音声を出力する機器である。
【００１８】
テレビジョン受像機１は、チューナ２と、フィルタ３と、映像復調処理部４と、音声復調処理部５と、映像処理部６と、音声処理部７と、ディスプレイ８と、スピーカ９とを備える。また、テレビジョン受像機１は、ＲＦ−ＡＧＣ回路１０と、ＡＧＣ電圧検出部１１と、リモコン１２と、リモコン受信部１３と、メモリ１４と、テレビジョン受像機１の動作を制御するＣＰＵ、ＲＯＭ、及びＲＡＭ等を含む制御部１５等を備える。制御部１５のＲＯＭは、テレビジョン受像機１の動作を制御するためのプログラムや各種データを記憶している。
【００１９】
チューナ２は、制御部１５による制御のもと、受信周波数が設定されることにより、その設定された周波数と同じ周波数の電波の形態の高周波信号（ＲＦ信号）を受信する。そして、チューナ２は、受信した高周波信号を増幅すると共に増幅した高周波信号の周波数を中間周波数に変換して、中間周波信号を出力する。チューナ２は、ＲＦ−ＡＧＣ回路１０から出力されるＲＦ−ＡＧＣ電圧の大きさに応じて、受信した高周波信号を増幅する増幅ゲインを調整するようになっている。
【００２０】
テレビジョン放送局から放送されるテレビジョン信号は、所定周波数の高周波信号であり、高周波の映像搬送波を映像信号で変調した映像変調高周波信号と、高周波の音声搬送波を音声信号で変調した音声変調高周波信号とを含んでいる。従って、チューナ２の受信周波数がテレビジョン信号の周波数に設定され、そのテレビジョン信号の信号強度（電波強度）が十分である場合には、そのテレビジョン信号がチューナ２によって受信され、チューナ２から出力される中間周波信号は、映像中間周波信号（テレビジョン信号に含まれている映像変調高周波信号の周波数を中間周波数に変換した信号）と音声中間周波信号（テレビジョン信号に含まれている音声変調高周波信号の周波数を中間周波数に変換した信号）を含んだ信号となる。
【００２１】
フィルタ３は、チューナ２から出力された中間周波信号から映像中間周波信号と音声中間周波信号とを分離し、それら映像中間周波信号及び音声中間周波信号を出力する。
【００２２】
映像復調処理部４は、フィルタ３から出力される映像中間周波信号を復調処理し、その復調処理した信号を出力する。チューナ２がテレビジョン信号を受信しているときには、映像復調処理部４は、テレビジョン信号に基く映像の映像信号を出力する。すなわち、フィルタ３及び映像復調処理部４は、チューナ２から出力される中間周波信号を、テレビジョン信号に基く映像の映像信号を得るために復調処理し、その復調処理した映像信号を映像復調処理部４から出力する。フィルタ３及び映像復調処理部４によって、映像信号復調手段が構成されている。
【００２３】
音声復調処理部５は、フィルタ３から出力される音声中間周波信号を復調処理し、その復調処理した信号を出力する。チューナ２がテレビジョン信号を受信しているときには、音声復調処理部５は、テレビジョン信号に基く音声の音声信号を出力する。すなわち、フィルタ３及び音声復調処理部５は、チューナ２から出力される中間周波信号を、テレビジョン信号に基く音声の音声信号を得るために復調処理し、その復調処理した音声信号を音声復調処理部５から出力する。
【００２４】
映像処理部６は、映像復調処理部４から出力される映像信号（テレビジョン信号に基く映像の映像信号）に画質調整処理等の各種処理をして、その処理した映像信号を出力する。映像処理部６から出力された映像信号は、ディスプレイ８に供給され、映像処理部７から出力された映像信号による映像（テレビジョン信号に基く映像）がディスプレイ８に表示される。
【００２５】
音声処理部７は、音声復調処理部５から出力される音声信号（テレビジョン信号に基く音声の音声信号）に音質調整処理等の各種処理をして、その処理した音声信号を出力する。音声処理部７から出力された音声信号は、スピーカ９に供給され、音声処理部７から出力された音声信号による音声（テレビジョン信号に基く音声）がスピーカ９から出力される。
【００２６】
ＲＦ−ＡＧＣ回路１０は、映像復調処理部４から出力される映像信号の信号レベルが所定のレベルとなるように、チューナ２における受信した高周波信号を増幅する増幅ゲインを自動的に制御する。すなわち、ＲＦ−ＡＧＣ回路１０は、映像復調処理部４から出力される映像信号の信号レベルの大きさに応じて、チューナ２における増幅ゲインを調整するためのＲＦ−ＡＧＣ電圧を出力する。
【００２７】
つまり、ＲＦ−ＡＧＣ回路１０は、映像復調処理部４から出力される映像信号の信号レベルが所定のレベルよりも小さいときには、出力するＲＦ−ＡＧＣ電圧を大きくしていき、映像復調処理部４から出力される映像信号の信号レベルが所定のレベルよりも大きいときには、出力するＲＦ−ＡＧＣ電圧を小さくしていく。ＲＦ−ＡＧＣ電圧が大きくなるにつれて、チューナ２における増幅ゲインが大きくなり、ＲＦ−ＡＧＣ電圧が小さくなるにつれて、チューナ２における増幅ゲインが小さくなる。また、ＲＦ−ＡＧＣ回路１０は、制御部１５による制御のもと、出力するＲＦ−ＡＧＣ電圧が制御されるようになっている。
【００２８】
ＡＧＣ電圧検出部１１は、ＲＦ−ＡＧＣ回路１０から出力されるＲＦ−ＡＧＣ電圧を検出し、その検出したＲＦ−ＡＧＣ電圧の電圧値をＡ／Ｄ変換して、ＲＦ−ＡＧＣ電圧の電圧値を示すＡＧＣ電圧値信号を出力する。
【００２９】
リモコン１２は、テレビジョン受像機１の電源のオン／オフ、テレビジョン信号の放送チャンネルの選局等、テレビジョン受像機１の各種動作を制御するためにユーザに操作され、その操作内容を示す操作信号を送信する。リモコン受信部１３は、リモコン１２から送信された操作信号を受信して、リモコン１２の操作内容を示すリモコン受信信号を出力する。
【００３０】
メモリ１４は、制御部１５による制御のもと、ＲＦ−ＡＧＣ回路１０の応答性や、テレビジョン信号の受信可能なチャンネルであるか否かを判別するときの待機時間、テレビジョン信号の受信可能なチャンネルのチャンネル番号等、テレビジョン受像機１の動作に関わる各種データを記憶する。
【００３１】
制御部１５は、リモコン受信部１３から出力されるリモコン受信信号を基にリモコン１２の操作内容を判断し、ユーザによるリモコン１２の操作を受けて、選局処理、チャンネルオートプリセット処理、テレビ受像処理等、テレビジョン受像機１の各種処理の動作を制御する。
【００３２】
選局処理とは、所望のテレビジョン信号を受信するために、テレビジョン信号の放送チャンネルを選局する処理である。選局処理では、制御部１５は、チューナ２の受信周波数を、受信しようとするテレビジョン信号の放送チャンネルに対応する周波数に設定することにより、テレビジョン信号の放送チャンネルを選局する。制御部１５等によって、選局手段が構成されている。
【００３３】
チャンネルオートプリセット処理とは、テレビジョン信号の受信可能な放送チャンネルを自動的に設定する処理である。チャンネルオートプリセット処理では、制御部１５は、テレビジョン信号の受信可能な放送チャンネルを自動的に検出するチャンネルサーチ処理を行い、チャンネルサーチ処理により検出したテレビジョン信号の受信可能な放送チャンネルのチャンネル番号をメモリ１４に記憶することにより、テレビジョン信号の受信可能な放送チャンネルを自動的に設定する。
【００３４】
チャンネルサーチ処理では、制御部１５は、選局中の放送チャンネルがテレビジョン信号の受信可能なチャンネルであるか否かを判別するチャンネル受信可否判別処理を行う。そして、制御部１５は、複数の異なる放送チャンネルのそれぞれについて、チャンネル受信可否判別処理によりテレビジョン信号の受信可能なチャンネルであるか否かを判別することによって、テレビジョン信号の受信可能な放送チャンネルを自動的に検出する。制御部１５等によって、チャンネルサーチ手段が構成されている。
【００３５】
チャンネル受信可否判別処理では、制御部１５は、テレビジョン信号の放送チャンネル（テレビジョン信号の受信が可能か否かの判別を試みる放送チャンネル）を選局し、その後、所定の待機時間が経過するまで待機し、そして、所定の待機時間が経過するまで待機している間に映像復調処理部４から出力される映像信号に基いて、選局した選局中のテレビジョン信号の放送チャンネルがテレビジョン信号の受信可能なチャンネルであるか否かを判別する。
【００３６】
テレビジョン信号の受信可能なチャンネルであるか否かの判別は、映像復調処理部４から出力される映像信号の信号レベルが所定の待機時間経過するまで待機している間に所定レベルに達するか否かによって判別される。すなわち、映像復調処理部４から出力される映像信号の信号レベルが所定の待機時間経過するまで待機している間に所定レベルに達した場合には、テレビジョン信号の受信可能なチャンネルであると判別し、映像復調処理部４から出力される映像信号の信号レベルが所定の待機時間経過するまで待機している間に所定レベルに達しない場合には、テレビジョン信号の受信可能なチャンネルでないと判別する。制御部１５等によって、チャンネル受信可否判別手段が構成されている。
【００３７】
また、チャンネルサーチ処理では、制御部１５は、チャンネル受信可否判別処理に先立って、ＲＦ−ＡＧＣ回路１０の応答性を測定するＡＧＣ応答性チェック処理を行い、そのＡＧＣ応答性チェック処理により測定したＲＦ−ＡＧＣ回路１０の応答性に基いて、チャンネル受信可否判別処理においてテレビジョン信号の受信可能なチャンネルであるか否かを判別するときの待機時間を設定する待機時間設定処理を行う。
【００３８】
ＡＧＣ応答性チェック処理では、制御部１５は、映像復調処理部４から出力される映像信号が所定のレベルに達していない状態においてＲＦ−ＡＧＣ回路１０から出力されるＲＦ−ＡＧＣ電圧が大きくなっていく速度（応答速度）を、ＲＦ−ＡＧＣ回路１０の応答性として測定し、その測定した応答性をメモリ１４に記憶する。制御部１５等によって、ＡＧＣ応答性測定手段が構成されている。
【００３９】
待機時間設定処理では、制御部１５は、ＡＧＣ応答性チェック処理により測定した（メモリ１４に記憶した）ＲＦ−ＡＧＣ回路１０の応答性に基いて、その応答性に合った適切な待機時間を算出し、その算出した待機時間をメモリ１４に記憶する。すなわち、制御部１５のＲＯＭには、ＲＦ−ＡＧＣ回路１０の基準の応答性（テレビジョン受像機１の製造段階において測定された応答性）と、基準の待機時間（テレビジョン受像機１の製造段階において試験的に求められた、ＲＦ−ＡＧＣ回路１０の基準の応答性に合った適切な待機時間）が記憶されており、制御部１５は、基準の待機時間を基に、基準の応答性と測定した応答性との差異に応じて、測定した応答性に合った適切な待機時間を算出し、その算出した待機時間をメモリ１４に記憶する。例えば、基準の応答性をＶｏ、基準の待機時間をＴｏ、測定した応答性をＶｓ、測定した応答性Ｖｓに合った適切な待機時間をＴｓとすると、測定した応答性Ｖｓに合った適切な待機時間Ｔｓは、Ｔｓ＝（Ｖｓ／Ｖｏ）×Ｔｏによって算出される。制御部１５等によって、待機時間設定手段が構成されている。
【００４０】
チャンネル受信可否判別処理では、制御部１５は、待機時間設定処理により設定された（メモリ１４に記憶された）待機時間を用いて、テレビジョン信号の受信可能なチャンネルであるか否かを判別する。
【００４１】
テレビ受像処理とは、テレビジョン信号の放送チャンネルを選局して、その選局した放送チャンネルのテレビジョン信号に基く映像を表示すると共に音声を出力する処理である。テレビ受像処理では、制御部１５は、テレビジョン信号の放送チャンネルを選局して、その選局した放送チャンネルのテレビジョン信号に基く映像をディスプレイ８に表示させると共に音声をスピーカ９から出力させる。このとき、制御部１５は、チャンネルオートプリセット処理の結果を反映させて、テレビ受像処理を行う。
【００４２】
図２は、上記テレビジョン受像機１のＡＧＣ応答性チェック処理のフローチャートを示す。ＡＧＣ応答性チェック処理では、まず、制御部１５は、チューナ２の受信周波数を、テレビジョン信号の放送チャンネルに対応しない周波数（テレビジョン信号が規格上放送されていない周波数）に設定する（＃１）。
【００４３】
続いて、制御部１５は、ＲＦ−ＡＧＣ回路１０を制御して、ＲＦ−ＡＧＣ回路１０から出力されるＲＦ−ＡＧＣ電圧を、チューナ２における増幅ゲインを最小にするときの電圧（最小ゲイン電圧）に設定する（＃２）。すなわち、制御部１５は、その瞬間だけ一時的に、強制的に、ＲＦ−ＡＧＣ回路１０から出力されるＲＦ−ＡＧＣ電圧を、最小ゲイン電圧に設定する。これにより、ＲＦ−ＡＧＣ回路１０は、この後、映像復調処理部４から出力される映像信号の信号レベルに応じて、映像復調処理部４から出力される映像信号の信号レベルが所定のレベルとなるように、ＲＦ−ＡＧＣ電圧を最小ゲイン電圧から大きくしていく。つまり、ＲＦ−ＡＧＣ回路１０から出力されるＲＦ−ＡＧＣ電圧は、最小ゲイン電圧に設定された後、映像復調処理部４から出力される映像信号の信号レベルに応じて、大きくなっていくことになる。
【００４４】
その後、制御部１５は、ＡＧＣ電圧検出部１１から出力されるＡＧＣ電圧値信号によって、ＲＦ−ＡＧＣ回路１０から出力されるＲＦ−ＡＧＣ電圧を監視し、ＲＦ−ＡＧＣ回路１０から出力されるＲＦ−ＡＧＣ電圧が予め定めた規定の電圧に達するまでの時間を測定する（＃３）。そして、制御部１５は、その測定した時間を、ＲＦ−ＡＧＣ回路１０のＡＧＣ応答性（応答速度）とする。すなわち、制御部１５は、上記＃２においてＲＦ−ＡＧＣ電圧を最小ゲイン電圧に設定してからＲＦ−ＡＧＣ電圧が予め定めた規定の電圧に達するまでの時間（ＲＦ−ＡＧＣ電圧が最小ゲイン電圧から予め定めた規定の電圧に達するまでの時間）を、ＲＦ−ＡＧＣ回路１０のＡＧＣ応答性（応答速度）として測定する。
【００４５】
図３は、上記テレビジョン受像機１のチャンネルオートプリセット処理のフローチャートを示す。チャンネルオートプリセット処理では、まず、制御部１５は、ＡＧＣ応答性チェック処理を行う（＃１１）。すなわち、制御部１５は、上述のように、ＲＦ−ＡＧＣ回路１０のＡＧＣ応答性（応答速度）を測定し、その測定した応答性をメモリ１４に記憶する。そして、制御部１５は、待機時間設定処理を行う（＃１２）。すなわち、制御部１５は、上述のように、ＡＧＣ応答性チェック処理により測定したＲＦ−ＡＧＣ回路１０のＡＧＣ応答性に基いて、その測定した応答性に合った適切な待機時間を算出し、その算出した待機時間をメモリ１４に記憶する。
【００４６】
続いて、制御部１５は、テレビジョン信号の受信が可能か否かの判別を試みる放送チャンネルを決定し（＃１３）、チューナ２の受信周波数を、その決定した放送チャンネルに対応する周波数に設定することにより、テレビジョン信号の受信が可能か否かの判別を試みる放送チャンネルを選局する（＃１４）。このとき、制御部１５は、チャンネル番号の小さい方から順に放送チャンネルを決定して選局する。つまり、制御部１５は、チャンネルオートプリセット処理において、まだ選局していない（テレビジョン信号の受信が可能か否かの判別を試みていない）放送チャンネルのうち、最も小さいチャンネル番号の放送チャンネルを選局する。
【００４７】
＃１４で放送チャンネルを選局した後、制御部１５は、上記＃１２の待機時間設定処理で設定した待機時間が経過するまで待機するウェイト処理を行う（＃１５）。ウェイト処理において待機時間が経過するまで待機している間、ＡＧＣ−ＲＦ回路１０は、映像復調処理部４から出力される映像信号の信号レベルが所定のレベルとなるように、ＲＦ−ＡＧＣ電圧を変化させて、チューナ２における増幅ゲインを制御（調整）する。従って、チューナ２がテレビジョン信号を受信しているときには、映像復調処理部４からテレビジョン信号に基く映像の映像信号が出力されて、その映像信号の信号レベルは、所定のレベルとなるまで増幅されていくことになる。
【００４８】
そして、制御部１５は、＃１５のウェイト処理において待機時間が経過するまで待機している間に映像復調処理部４から出力される映像信号に基いて、選局中の（＃１４で選局した）放送チャンネルがテレビジョン信号の受信可能なチャンネルであるか否かを判別する（＃１６）。すなわち、制御部１５は、映像復調処理部４から出力される映像信号の信号レベルが＃１５のウェイト処理において待機時間経過するまで待機している間に所定レベルに達した場合には、テレビジョン信号の受信可能なチャンネルであると判別し、映像復調処理部４から出力される映像信号の信号レベルが＃１５のウェイト処理において待機時間経過するまで待機している間に所定レベルに達しない場合には、テレビジョン信号の受信可能なチャンネルでないと判別する。＃１４〜＃１６の処理が、チャンネル受信可否判別処理に相当する。
【００４９】
ここで、テレビジョン信号の受信可能なチャンネルであると判別した場合には（＃１６でＹＥＳ）、制御部１５は、選局中の放送チャンネルのチャンネル番号をメモリ１４に記憶する（＃１７）。一方、テレビジョン信号の受信可能なチャンネルでないと判別した場合には（＃１６でＮＯ）、制御部１５は、選局中の放送チャンネルのチャンネル番号をメモリ１４に記憶しない。
【００５０】
その後、全ての放送チャンネルを選局していなければ（＃１８でＮＯ）、制御部１５は、上記＃１３以降の処理を繰り返す。すなわち、全ての放送チャンネルを選局するまで、上記＃１３以降の処理が繰り返される。これにより、全ての放送チャンネルについて、テレビジョン信号の受信可能なチャンネルであるか否かが判別され、テレビジョン信号の受信可能な放送チャンネルのチャンネル番号がメモリ１４に記憶される。＃１１〜＃１６、＃１８の処理が、チャンネルサーチ処理に相当する。全ての放送チャンネルを選局すれば（＃１８でＹＥＳ）、制御部１５は、チャンネルオートプリセット処理を終了する。
【００５１】
このような構成のテレビジョン受像機１によれば、テレビジョン信号の受信可能なチャンネルであるか否かを判別するときの待機時間を、ＲＦ−ＡＧＣ回路１０の応答性に応じて適切に設定することができるので、テレビジョン信号の受信可能なチャンネルであるか否かの判別における誤判別を防ぐことができる。
【００５２】
なお、本発明は、上記実施形態の構成に限られず、種々の変形が可能である。例えば、ユーザによる選局操作を受けて選局した放送チャンネルについて、テレビジョン信号の受信可能なチャンネルであるか否かを判別するようにしてもよい。また、テレビジョン信号の受信可能なチャンネルであるか否かの判別は、映像復調処理部から出力される映像信号の信号レベルが所定レベルに達するか否かに加え、映像信号を解析して、その解析結果に基いて、判別するようにしてもよい。
【符号の説明】
【００５３】
１    テレビジョン受像機
２    チューナ
３    フィルタ（映像信号復調手段）
４    映像復調処理部（映像信号復調手段）
５    音声復調処理部
６    映像処理部
７    音声処理部
８    ディスプレイ
９    スピーカ
１０    ＲＦ−ＡＧＣ回路
１１    ＡＧＣ電圧検出部
１２    リモコン
１３    リモコン受信部
１４    メモリ
１５    制御部（選局手段、チャンネル受信可否判別手段、ＡＧＣ応答性測定手段、待機時間設定手段、チャンネルサーチ手段）
【図１】
2010258976.tif 000003
【図２】
2010258976.tif 000004
【図３】
2010258976.tif 000005